(57)【特許請求の範囲】
【請求項１】
一端部が開口され他端部が閉塞された有底筒状の本体ケースと、
該本体ケースの内部に収容され、同一平面上に発光源として複数のＬＥＤが配設された基板と、
前記本体ケースと前記基板との間に介装され、弾力性を有する材質から成り前記ＬＥＤの発熱を前記本体ケースに導く熱伝導シートと、を備え、
前記熱伝導シートを前記本体ケースの他端部側の閉塞部の内壁面全面に接触させて該本体ケースと前記基板との間に狭持させて組み立てられる照明装置であって、
前記本体ケースの一端部側の開口部の外周に、その全周にわたって外方に張り出したフランジを前記本体ケースと一体化して形成し、該本体ケースを設置面の埋込み穴に取り付けた際に、前記フランジが設置面下の開放空間側に露出して前記本体ケースの熱を放散し、
前記本体ケースの他端部側の閉塞部の内壁面に、該内壁面に形成された締結用部材の貫通孔の周りを包囲する１又は複数のリング状の突条を設け、前記本体ケースと熱伝導シートとを組み立てた際に、該熱伝導シートに前記突条が食い込んだ状態で前記熱伝導シートが本体ケースに固定されて前記基板に配設されたＬＥＤの発熱を前記本体ケースに導く構造としたことを特徴とする照明装置。
【請求項２】
前記本体ケースの収容部内にて、基板に配設された複数のＬＥＤの点灯により光が出射される側には、各ＬＥＤの出射光を被照明領域に向けて反射する反射鏡部材を備えたことを特徴とする請求項１記載の照明装置。
【請求項３】
前記本体ケースの一端部側の開口部には、該開口部を覆う透光性のカバープレートを備えたことを特徴とする請求項１又は２記載の照明装置。
【請求項４】
前記本体ケースの収容部内にて、該本体ケースの内周面と、反射鏡部材及びカバープレートの連接外周面との間には、本体ケースの外部へ空気が流通する隙間を形成したことを特徴とする請求項３記載の照明装置。
【発明の詳細な説明】
【技術分野】
【０００１】
本発明は、ＬＥＤ（発光ダイオード）を発光源とし、設置面に取り付けられて直下等の領域を照明する例えばダウンライト等の照明装置に関し、詳しくは、発光源としての複数のＬＥＤの点灯で昇温する本体部分の熱を放散する技術に係るものである。
【背景技術】
【０００２】
従来のダウンライト等の照明装置は、基板と、発光部が前記基板の一面側に配設されリード線端部が前記基板の他面側に露出して配設されて前記基板に実装された発光ダイオードと、前記基板の他面側に配設された点灯回路部品と、前記発光ダイオードのリード線端部及び点灯回路部品を覆い前記リード線端部に接するように設けられた熱伝導性グラファイトと、この熱伝導性グラファイトに直接又は間接的に設けられた放熱体とを具備している（例えば、特許文献１参照）。
【特許文献１】特開２００３−１００１１０号公報
【発明の開示】
【発明が解決しようとする課題】
【０００３】
しかし、従来のダウンライト等の照明装置においては、器具本体の上面に放熱体又はヒートシンク等が設けられ、この放熱体又はヒートシンク等から、発光ダイオードの点灯で昇温した本体部分の熱を放散していた。この場合、上記放熱体又はヒートシンク等は、設置面である例えば天井面の裏側に位置しており、天井面の裏側の限られた空間に放熱していた。これでは、放熱効果が高いとは言えず、照明装置としての発光効率が低下する虞があった。
【０００４】
また、ダウンライト等の照明装置を設置面である例えば天井面に取り付けるのに、該天井面に開けられた埋込み穴に本体部分を挿入し、この本体部分とは別体のリング状の化粧板を用いて上記本体部分の下端周縁部を支持して取り付けていた。この場合、上記本体部分の下端周縁部が天井面下の室内空間に直接露出していないことと、天井面下に露出したリング状の化粧板は本体部分とは別体であることとから、熱伝導のロスがあり、発光ダイオードの点灯で昇温した本体部分の熱を効率よく放散できないことがある。このことから、照明装置としての発光効率が低下する虞があった。また、特に、ＬＥＤ光源は周囲温度により寿命が大きく変化し、僅か数℃の周囲温度の上昇で寿命が大幅に変化する。例えば、温度が１℃高くなると数千時間の単位で寿命が短くなることがある。
【０００５】
そこで、本発明は、このような問題点に対処し、発光源としての複数のＬＥＤの点灯で昇温する本体部分の熱を設置面下の開放空間側に放散して、ＬＥＤ光源の寿命を延ばすことができる照明装置を提供することを目的とする。
【課題を解決するための手段】
【０００６】
上記目的を達成するために、本発明による照明装置は、一端部が開口され他端部が閉塞された有底筒状の本体ケースと、該本体ケースの内部に収容され、同一平面上に発光源として複数のＬＥＤが配設された基板と、前記本体ケースと前記基板との間に介装され、弾力性を有する材質から成り前記ＬＥＤの発熱を前記本体ケースに導く熱伝導シートと、を備え、前記熱伝導シートを前記本体ケースの他端部側の閉塞部の内壁面全面に接触させて該本体ケースと前記基板との間に狭持させて組み立てられる照明装置であって、前記本体ケースの一端部側の開口部の外周に、その全周にわたって外方に張り出したフランジを前記本体ケースと一体化して形成し、該本体ケースを設置面の埋込み穴に取り付けた際に、前記フランジが設置面下の開放空間側に露出して前記本体ケースの熱を放散し、前記本体ケースの他端部側の閉塞部の内壁面に、該内壁面に形成された締結用部材の貫通孔の周りを包囲する１又は複数のリング状の突条を設け、前記本体ケースと熱伝導シートとを組み立てた際に、該熱伝導シートに前記突条が食い込んだ状態で前記熱伝導シートが本体ケースに固定されて前記基板に配設されたＬＥＤの発熱を前記本体ケースに導く構造としたものである。
【０００７】
このような構成により、本体ケースの一端部側の開口部の外周に、その全周にわたって外方に張り出し前記本体ケースと一体化して形成されたフランジにより、前記本体ケースを設置面の埋込み穴に取り付けた際に、前記フランジが設置面下の開放空間側に露出して前記本体ケースの熱を放散し、前記本体ケースの他端部側の閉塞部の内壁面に、該内壁面に形成された締結用部材の貫通孔の周りを包囲して設けられた１又は複数のリング状の突条により、前記本体ケースと熱伝導シートとを組み立てた際に、該熱伝導シートに前記突条が食い込んだ状態で前記熱伝導シートが本体ケースに固定されて基板に配設されたＬＥＤの発熱を前記本体ケースに導く。これにより、本体ケースと一体化して形成されると共に設置面下の開放空間側に露出されるフランジを介して本体ケースの熱を放散でき、また、前記熱伝導シートに前記本体ケースの突条が食い込んだ状態で熱伝導シートが本体ケースに固定されることで、基板に配設されたＬＥＤの発熱を前記熱伝導シートを介して本体ケースに導いて、発光効率を向上する。また、ＬＥＤ光源の寿命を延ばすことが出来る。
【０００８】
また、上記本体ケースの収容部内にて、基板に配設された複数のＬＥＤの点灯により光が出射される側には、各ＬＥＤの出射光を被照明領域に向けて反射する反射鏡部材を備えている。これにより、基板に配設された複数のＬＥＤの点灯により光が出射される側に備えられた反射鏡部材により、各ＬＥＤの出射光を被照明領域に向けて反射する。
【０００９】
さらに、上記本体ケースの一端部側の開口部には、該開口部を覆う透光性のカバープレートを備えている。これにより、本体ケースの一端部側の開口部に備えられた透光性のカバープレートにより、上記開口部を覆うことができる。
【００１０】
さらにまた、上記本体ケースの収容部内にて、該本体ケースの内周面と、反射鏡部材及びカバープレートの連接外周面との間には、本体ケースの外部へ空気が流通する隙間を形成している。これにより、本体ケースの内周面と、反射鏡部材及びカバープレートの連接外周面との間に形成された隙間により、本体ケースの外部へ空気が流通する。
【発明の効果】
【００１１】
請求項１に係る発明によれば、本体ケースの一端部側の開口部の外周に、その全周にわたって外方に張り出し前記本体ケースと一体化して形成されたフランジにより、前記本体ケースを設置面の埋込み穴に取り付けた際に、前記フランジが設置面下の開放空間側に露出して前記本体ケースの熱を放散し、前記本体ケースの他端部側の閉塞部の内壁面に、該内壁面に形成された締結用部材の貫通孔の周りを包囲して設けられた１又は複数のリング状の突条により、前記本体ケースと熱伝導シートとを組み立てた際に、該熱伝導シートに前記突条が食い込んだ状態で前記熱伝導シートが本体ケースに固定されて基板に配設されたＬＥＤの発熱を前記本体ケースに導くことができる。これにより、本体ケースと一体化して形成されると共に設置面下の開放空間側に露出されるフランジを介して本体ケースの熱を放散でき、また、前記熱伝導シートに前記本体ケースの突条が食い込んだ状態で熱伝導シートが本体ケースに固定されることで、基板に配設されたＬＥＤの発熱を前記熱伝導シートを介して本体ケースに導くことができる。したがって、放熱効果を改善して、照明装置としての発光効率を向上することができる。また、ＬＥＤ光源の寿命を延ばすことが出来る。
【００１２】
また、請求項２に係る発明によれば、基板に配設された複数のＬＥＤの点灯により光が出射される側に備えられた反射鏡部材により、各ＬＥＤの出射光を被照明領域に向けて反射することができる。したがって、被照明領域に対して各ＬＥＤの出射光を高強度で照射することができる。
【００１３】
さらに、請求項３に係る発明によれば、本体ケースの一端部側の開口部に備えられた透光性のカバープレートにより、上記開口部を覆うことができる。したがって、本体ケース内に塵や埃が入らないようにすると共に、各ＬＥＤの出射光を被照明領域に対して拡散して照射することができる。
【００１４】
さらにまた、請求項４に係る発明によれば、本体ケースの内周面と、反射鏡部材及びカバープレートの連接外周面との間に形成された隙間により、本体ケースの外部へ空気を流通させることができる。したがって、本体ケースの収容部内に位置する基板や熱伝導シートの熱の放熱効果を向上することが出来る。また、上記の隙間により本体ケースが解放空間側の外気に接触する面積が増えて、熱交換の効率が向上する。
【発明を実施するための最良の形態】
【００１５】
以下、本発明の実施形態を添付図面に基づいて詳細に説明する。
図１は本発明による照明装置の実施形態を示す底面側から見た斜視図、図２は上記照明装置を底面側から見た平面図、図３は図２のＡ−Ａ線断面図である。この照明装置は、ＬＥＤ（発光ダイオード）を発光源とし、設置面に取り付けられて直下等の領域を照明する例えばダウンライト等である。以下では、例えば室内の天井面等に埋め込まれるダウンライトである場合を例として説明する。そして、このダウンライト１０は、図４において装置を底面側から見た分解斜視図に示すように、本体ケース１１と、基板１２と、熱伝導シート１３と、反射鏡部材１４ａ，１４ｂと、カバープレート１５とを備えて成る。
【００１６】
上記本体ケース１１は、図３に示すように、ダウンライト１０を構成する部品を内部に収容するもので、一端部（下端部）が開口され他端部（上端部）が閉塞された有底筒状に形成されている。この有底筒状は直径に比して高さが低い偏平状に形成されており、この有底筒状の内部が部品の収容部となる。なお、図３において、本体ケース１１の外部上面の全面には放熱用のフィン１６が形成されている。
【００１７】
なお、上記本体ケース１１は、熱伝導性の高いアルミニウムまたはアルミニウム合金からなり、ダイキャスト成形により一体化されている。アルミニウムの他にも、例えば、チタン、マグネシウムなどの金属材料や、高熱伝導充填材料を配合した樹脂材料などを用いることができる。また、上記本体ケース１１は、有底筒状に限られず、方形などの任意の筒状形状であってもよい。
【００１８】
図３及び図４において、上記本体ケース１１の収容部内には、基板１２が収容される。この基板１２は、発光源としての複数のＬＥＤ１８を点灯させる回路基板となるもので、略円板状に形成されており、その同一平面上、例えば下面側には複数のＬＥＤ１８が実装され、図２に示すように中心から外方に向けて同心円状に複数の環状列に沿って例えば３６個配設されている。
【００１９】
ここで、上記ＬＥＤ１８は、青色発光ダイオードと、この青色発光ダイオードからの青色光を黄色光に変換する蛍光体とで構成されている。これにより、このＬＥＤ１８では、青色発光ダイオードから出射された青色光が蛍光体に吸収されると、蛍光体が黄色光を発し、この黄色光と吸収されなかった青色光とにより出射光が白色光となる。上記構成の他にも、紫外線発光ダイオードからの紫外光を受けて赤色、緑色、青色発光する蛍光体を有する構成であってもよい。紫外線発光ダイオードは、青色発光ダイオードと比較して約２倍の発光効率であり、経済的に優れ、より高輝度の照明装置を構築できる。
【００２０】
図３及び図４において、上記本体ケース１１の収容部内にて、本体ケース１１と基板１２との間には熱伝導シート１３が、前記本体ケース１１の他端部（上端部）側の閉塞部の内壁面全面に接触して介装される。この熱伝導シート１３は、上記ＬＥＤ１８の点灯により温度上昇した基板１２の熱を本体ケース１１に伝導するもので、弾力性を有する材質で略円板状に形成されており、熱伝導率の良いシリコーンポリマーにフィラー添加物及び顔料を添加して作製されている。
【００２１】
図３及び図４において、上記本体ケース１１の収容部内にて、基板１２に配設された複数のＬＥＤ１８の点灯により光が出射される側には、反射鏡部材１４が備えられる。この反射鏡部材１４は、各ＬＥＤ１８の出射光を下方の被照明領域に向けて反射するもので、大径のリング状に形成された第１の反射鏡部材１４ａと、この第１の反射鏡部材１４ａの内側に位置するように小径のリング状に形成された第２の反射鏡部材１４ｂとから成る。
【００２２】
第１の反射鏡部材１４ａは、図２に示すように、本体ケース１１の収容部内にてそのケース内底面の近傍に位置するように大径のリング状に形成されている。その円周方向には、上述のように同心円状に複数の環状列に沿って配設された複数のＬＥＤ１８のうち、外側の環状列に並んだＬＥＤ１８を１個ずつ内方に位置させる凹曲面鏡１９が複数個形成されている。この凹曲面鏡１９は、光出射方向に平行な断面が放物線からなる放物面（パラボラ面）で形成されている。この実施形態では、上記凹曲面鏡１９がパラボラ面で形成され、各ＬＥＤ１８がパラボラ面の焦点位置に配置されることで、外側に位置する第１の反射鏡部材１４ａから平行光が出射されて、被照明領域の明暗境界が鮮明に形成されるようになっている。
【００２３】
また、第２の反射鏡部材１４ｂは、上記第１の反射鏡部材１４ａの内側に位置するように小径のリング状に形成されている。その円周方向には、上述のように同心円状に複数の環状列に沿って配設された複数のＬＥＤ１８のうち、中間位置の環状列に並んだＬＥＤ１８を１個ずつ内方に位置させる凹曲面鏡２０が複数個形成されている。この凹曲面鏡２０は、光出射方向に平行な断面が放物線からなる放物面（パラボラ面）で形成されている。この実施形態では、上記凹曲面鏡２０がパラボラ面で形成され、各ＬＥＤ１８がパラボラ面の焦点位置に配置されることで、中間位置に位置する第２の反射鏡部材１４ｂから平行光が出射されて、被照明領域の明暗境界が鮮明に形成されるようになっている。
【００２４】
なお、上記第１及び第２の反射鏡部材１４ａ，１４ｂの凹曲面鏡１９，２０は、パラボラ面に代えて、回転楕円曲面としてもよく、パラボラ面と回転楕円曲面とを混在配置した構成としてもよい。回転楕円曲面では、その焦点位置を被照明領域（例えば床面）の手前側または奥側に設定することで、照射光の集光度合いを変化させ、目的に即した照明パターンを得ることができる。
【００２５】
なお、上記複数のＬＥＤ１８は、図２に示すように、ダウンライト１０の中心から外方に向けて同心円状に複数の環状列に沿って配列されており、これに伴って第１及び第２の反射鏡部材１４ａ，１４ｂも２重の環状配列となっているが、中心部には反射鏡部材が備えられていない（図４参照）。しかし、上記中心部にも、光を照射する場所や目的に応じて、その外側の第１及び第２の反射鏡部材１４ａ，１４ｂと同様の、或いは適宜のパラボラ面を有する反射鏡部材を配置してもよい。
【００２６】
上記中心部に配置されたＬＥＤ１８は、拡散光となって、ダウンライト１０の設置場所に近い領域を広く照明する。例えば、壁面に近い天井面に設置した場合には、壁面に拡散光が照射されて間接照明光となり、かつ、凹曲面鏡により床面が必要十分な照度で照明される。このような近傍照明用と、遠方照明用との２種類の照明機能を備えている。
【００２７】
上記本体ケース１１の下端部側の開口部には、図３及び図４に示すように、カバープレート１５が取り付けられる。このカバープレート１５は、上記本体ケース１１の開口部を覆うもので、透光性の部材、例えばプラスチック等から成る。このカバープレート１５の存在により、上記開口部を覆うことができ、本体ケース１１内に塵や埃が入らないようにすると共に、各ＬＥＤ１８の出射光を被照明領域に対して拡散して照射することができる。
【００２８】
そして、上記本体ケース１１と、熱伝導シート１３と、基板１２と、第１及び第２の反射鏡部材１４ａ，１４ｂとは、図４及び図５に示すように、複数本例えば３本の同心円状に位置決めされた止めネジ（締結用部材の一例）２１ａ，２１ｂ，２１ｃを、それぞれの構成要素の対応する箇所に形成された貫通孔２２ａ，２２ｂ，２２ｃ；２２ａ’，２２ｂ’，２２ｃ’；ネジ穴２２ａ”，２２ｂ”，２２ｃ”に差し通して組み立てられるようになっている。なお、図５に示すように、基板１２と第１及び第２の反射鏡部材１４ａ，１４ｂとは、別の組付けネジで予め組み合わされて発光体モジュールとされる。この場合、発光体モジュールの内部は密閉される。これにより、ＬＥＤ１８の発熱がカバープレート１５側からは放散されにくく、本体ケース１１側から放散する必要がある。
【００２９】
なお、上記締結用部材は上記のような止めネジに限られず、クランプ機構やピン止め、基板１２から突出した棒体を利用する等、部材と部材とを締結できるものであれば何でもよい。
【００３０】
この状態で、図４に示すように、上記本体ケース１１の収容部内に熱伝導シート１３と、基板１２と第１及び第２の反射鏡部材１４ａ，１４ｂとを組み合せた発光体モジュールを位置合わせして収容し、図５に示すように、上記本体ケース１１の上面側から３本の止めネジ２１ａ，２１ｂ，２１ｃを、各構成要素の対応する箇所に形成された貫通孔２２ａ，２２ｂ，２２ｃ；２２ａ’，２２ｂ’，２２ｃ’；ネジ穴２２ａ”，２２ｂ”，２２ｃ”に差し通して締め付け、最後に本体ケース１１の開口部にカバープレート１５を取り付けることにより、図３に示すように、ダウンライト１０が構成される。
【００３１】
なお、図１〜図５において、符号２３ａ，２３ｂ，２３ｃは、上記本体ケース１１の上面にビス等で取り付けられた固定用板バネを示している。また、図３において、符号２４は、本体ケース１１の上面に配設された電源供給用のワイヤーハーネスを示している。
【００３２】
このように構成されたダウンライト１０は、室内の天井面等の設置面（図示省略）に穿設された埋込み穴（例えば直径145〜150mm程度）内に固定される。この場合、図示しない筒状治具を埋め込み穴に固定したのち、この筒状治具に本体ケース１１に取り付けた固定用板バネ２３ａ，２３ｂ，２３ｃを係止することで固定する。なお、設置面は、壁面、或いは棚下等の狭領域であってもよい。
【００３３】
ここで、本発明においては、図３、図４及び図７に示すように、上記本体ケース１１の下端部側の開口部の外周に、その全周にわたって外方に張り出したフランジ１７が本体ケース１１と一体化して形成されている。すなわち、図７に示すように、本体ケース１１を設置面としての天井面２８の埋込み穴に取り付けた際に、上記フランジ１７が天井面２８下の開放空間側に露出するように形成されている。なお、上記外方に張り出したフランジ１７の外側約１／２の部分には、外側に向って傾斜して厚さが薄くなるテーパー部分１７ａが形成されている。これは、天井面２８の下面に対してフランジ１７の段差が少なくなるようにしたものである。
【００３４】
上記フランジ１７は、本体ケース１１と一体化して形成され、且つ天井面２８下の開放空間側に露出しているので、ＬＥＤ１８の点灯で昇温した基板１２の熱が熱伝導シート１３を介して上記本体ケース１１に伝導された熱を、効率よく放散することが出来る。したがって、ダウンライト１０の放熱効果を改善して、照明装置としての発光効率を向上することができる。
【００３５】
また、本発明においては、図７に示すように、上記本体ケース１１の収容部内にて、該本体ケース１１の内周面と、第１の反射鏡部材１４ａ及びカバープレート１５の連接外周面との間には、本体ケース１１の外部へ空気が流通する隙間２９が形成されている。したがって、この隙間２９を介して本体ケース１１の外部へ空気を流通させることができ、本体ケース１１の収容部内に位置する基板１２や熱伝導シート１３の熱の放熱効果を向上することが出来る。
【００３６】
なお、本発明においては、図４に示すように、上記本体ケース１１内の上端部側の閉塞部の内壁面にて、上記複数本の止めネジ２１ａ，２１ｂ，２１ｃ用の貫通孔２２ａ，２２ｂ，２２ｃよりも内方側及び外方側に位置するように複数本のリング状の突条２５ａ，２５ｂが設けられている。
【００３７】
すなわち、図６に示すように、本体ケース１１内の上端部側の閉塞部の内壁面にて、同心円状に位置決めして穿設された貫通孔２２ａ，２２ｂ，２２ｃの外方側に位置してリング状に連続して盛り上がった一の突条２５ａが設けられている。また、上記貫通孔２２ａ，２２ｂ，２２ｃの内方側に位置してリング状に連続して盛り上がった他の突条２５ｂが設けられている。なお、上記本体ケース１１内の上端部側の閉塞部の内壁面には、上記以外にも、一の突条２５ａの外方側に更に大径の第３の突条２５ｃを設け、他の突条２５ｂの内方側にそれよりも小径の第４の突条２５ｄを設けてもよい。この突条２５の本数は、適宜選択すればよい。
【００３８】
なお、上記突条２５ａ等は、図６に示すような本体ケース１１のケース内底面の中心を中心とする同心円状に複数本形成されたものに限られず、例えば、個々の貫通孔２２ａ，２２ｂ，２２ｃの周りに、各貫通孔２２ａ，２２ｂ，２２ｃを中心とする１本のリング状に形成してもよい。この場合も、上記貫通孔２２ａ，２２ｂ，２２ｃが上記リング状の突条に包囲された閉塞領域内に配置される。
【００３９】
このような状態で、図４に示すように、上記本体ケース１１の収容部内に熱伝導シート１３と、基板１２と、第１及び第２の反射鏡部材１４ａ，１４ｂとを位置合わせして収容し、図５に示すように、本体ケース１１の上面側から３本の止めネジ２１ａ，２１ｂ，２１ｃを差し通して締め付け、上記本体ケース１１と熱伝導シート１３とを組み立てた際に、図７に示すように、上記熱伝導シート１３に突条２５ａ，２５ｂが食い込んだ状態で該熱伝導シート１３が固定されるようになっている。
【００４０】
このとき、図７に示すように、熱伝導シート１３に突条２５ａ，２５ｂが食い込んだ状態で該熱伝導シート１３が固定されることにより、図５に示す本体ケース１１の上面に形成された貫通孔２２ａ，２２ｂ，２２ｃ及び電源供給用のワイヤーハーネス２４（図３参照）を配線する穴部２６等から水や塵埃等が入っても、上記熱伝導シート１３に突条２５ａ，２５ｂが食い込んだ状態のシール効果により、本体ケース１１内の基板１２側に水や塵埃等が侵入するのを防止できる。したがって、水や塵埃等により、本体内部が汚れたり、装置の動作不良又は故障が発生するのを防止できる。
【００４１】
また、本発明においては、図８（ａ）に示すように、上記本体ケース１１に開けられた止めネジ２１ａ，２１ｂ，２１ｃ用の貫通孔２２ａ，２２ｂ，２２ｃの内径は、熱伝導シート１３に開けられた止めネジ用の貫通孔２２ａ’，２２ｂ’，２２ｃ’の内径よりも大きくされている。このことから、図８（ｂ）に示すように、止めネジ２１ａで本体ケース１１の収容部内に熱伝導シート１３と基板１２とを締め付けて固定したときに、その締め付け圧力によって止めネジ２１ａの周りの熱伝導シート１３の一部１３ｔが、太径の貫通孔２２ａ内に盛り上がって入り込み、パッキンの役目をして該貫通孔２２ａから水や塵埃等が内部に侵入するのを防止することができる。したがって、本体内部に水や塵埃等が侵入することにより発生する不具合を防止することができる。
【００４２】
さらに、本発明においては、図７に示すように、上記本体ケース１１の収容部内にて、熱伝導シート１３の外周端縁に、前記第１の反射鏡部材１４ａの外周端縁を当接密着させている。このとき、図５に示すように、止めネジ２１ａ，２１ｂ，２１ｃで本体ケース１１の収容部内に、熱伝導シート１３と、基板１２と第１及び第２の反射鏡部材１４ａ，１４ｂとを組み合わせた発光体モジュールを締め付けて固定するので、上記熱伝導シート１３の外周端縁と第１の反射鏡部材１４ａの外周端縁との密着箇所２７には、隙間は形成されない。したがって、上記密着箇所２７から水や塵埃等が内部に侵入するのを防止することができる。
【００４３】
図９は、本発明の他の実施形態を示す、図２のＡ−Ａ線断面図に相当する要部拡大断面図である。この実施形態は、図７に示す実施形態において、第１及び第２の反射鏡部材１４ａ，１４ｂを省略したものであり、その他の構成は図７に示すものと同様である。なお、カバープレート１５の取り付けは、例えば、基板１２の外周端縁を外方に延長し、この延長された基板１２の外周端縁にカバープレート１５の立上がり縁部の上端部を弾性的に嵌め込めばよい。
【００４４】
このように構成されたダウンライト１０は、第１及び第２の反射鏡部材１４ａ，１４ｂが無い分だけ装置の厚さを薄くすることができる。この実施形態によるダウンライト１０は、例えば商品棚の下面側に取り付けて、その下方の棚に陳列された商品等を照明するのに好適に用いることができる。この場合、商品棚のような限られたスペースであっても、設置面から大きく突出することなく照明できる。また、反射鏡部材のない拡散光で照明するので、広い範囲にわたって均一な照度で照明できる。
【００４５】
通常では、放熱効果を高めるためには、本体ケース１１上面のヒートシンクを大きくすることが常套手段であるが、ダウンライト１０の高さが増し、設置スペースが限られる場合に不利となる。本発明では、高さ方向ではなく、設置面に沿うフランジ１７を一体化して形成し、このフランジ１７から積極的に室内側に放熱することで、放熱効果を高めている。しかも、フランジ１７が形成される本体ケース１１の内周面にも反射鏡部材１４ａとの隙間２９を設け、この隙間２９によって放熱面積を稼ぐことで、放熱効果をより高めている。なお、上記フランジ１７の表面は、図示例では平面とされているが、これに限らず、凹凸面として表面積を稼ぐ構成としてもよい。
【実施例】
【００４６】
次に、このように構成されたダウンライト１０の実施例について説明する。ここでは、上記のように構成されたダウンライト１０について、複数のＬＥＤ１８を点灯した状態でのフランジ１７による放熱効果を確認するための温度測定を行った。
【００４７】
まず、測定の条件としては、直径119mmの基板１２に、図２に示すように３６個のＬＥＤ１８を同心円状の環状列に沿って実装し、図３に示すように第１及び第２の反射鏡部材１４ａ，１４ｂ並びにカバープレート１５を取り付けたダウンライト１０を用いた。そして、上記ＬＥＤ１８の電源ユニットには交流電源100Ｖを供給し、電流値実測は30.1ｍＡとし、測定雰囲気温度を２０℃とした。この状態で通電し、１時間後の温度を測定した。
【００４８】
温度の測定箇所は、図１０に示すように、基板１２の同心円状の環状列の最外周に配置された第１のＬＥＤ（符号Ｌ1）及び第５のＬＥＤ（符号Ｌ5）と、２周目に配置された第２６のＬＥＤ（符号Ｌ26）及び第３６のＬＥＤ（符号Ｌ36）と、３周目に配置された第２９のＬＥＤ（符号Ｌ29）と、中央に配置された第３５のＬＥＤ（符号Ｌ35）とである。具体的には、基板１２において各ＬＥＤ１８のカソード半田部分を熱電対にて測定した。なお、図１０における基板１２は、真円形ではなく、正方形の板の四隅部を円弧状に切り欠いて略円板状に形成した形状とされている。
【００４９】
第１の温度測定結果を、図１１の第１表に示す。この測定においては、条件Ａとして、図７においてフランジ１７を有し、隙間２９が有る場合である。また、条件Ｂとして、フランジ１７を有し、隙間２９が無い場合である。さらに、条件Ｃとして、フランジ１７を有さず、隙間２９も無い場合である。この測定結果によれば、条件Ａにおいて各測定箇所について温度測定した平均温度は、29.7℃である。また、条件Ｂにおいて各測定箇所について温度測定した平均温度は、30.4℃である。さらに、条件Ｃにおいて各測定箇所について温度測定した平均温度は、31.1℃である。このことから、条件Ｃに比べて、条件Ａ，Ｂの方が温度が低くなっており、フランジ１７を本体ケース１１と一体化して形成したことにより放熱効果が向上したことが分る。特に、上記フランジ１７を設けると共に、本体ケース１１の内周面と反射鏡部材１４ａ，１４ｂ及びカバープレート１５の連接外周面との間に隙間２９を形成した条件Ａの場合が、最も放熱効果が高いことが分る。
【００５０】
次に、第２の温度測定結果を、図１２の第２表に示す。この測定は、図７に示すように、フランジ１７を有すると共に隙間２９が有る場合において、本体ケース１１と熱伝導シート１３と基板１２とに、複数本の止めネジ２１ａ，２１ｂ，２１ｃ（図５参照）を差し通して組み立てる際に、上記止めネジ２１ａ〜２１ｃの締め付け具合により、熱伝導シート１３の押付け量を変化させて温度測定をしたものである。
【００５１】
この場合の上記熱伝導シート１３の押付け量の変化は、図１３に示すように、ダウンライト１０を上下反転させた状態で、フランジ１７の面に第１のダイヤルピンゲージ３０ａを押し当ててこの位置をゼロ点とし、反射鏡部材１４ａ，１４ｂの面に第２のダイヤルピンゲージ３０ｂを押し当ててこの位置を変化点として、上記ゼロ点と変化点との差を押付け量ｄとして計測している。
【００５２】
第２の温度測定においては、第２表に示すように、条件Ｄとして、図７において熱伝導シート１３が無い場合である。また、条件Ｅとして、熱伝導シート１３を備えると共に該熱伝導シート１３を押付け量ｄ＝2.18mmで押し付けた場合である。さらに、条件Ｆとして、熱伝導シート１３を備えると共に該熱伝導シート１３を押付け量ｄ＝2.32mmで押し付けた場合である。なお、上記熱伝導シート１３としては、ポリマテック株式会社製の「FEATHER-S3S」（製品名）を用いた。
【００５３】
第２の温度測定結果によれば、条件Ｄにおいて熱伝導シート１３が無い場合に比べて、熱伝導シート１３を備えた条件Ｅ及びＦの方が温度が低くなっている。また、条件ＥとＦにおいては、押付け量ｄが大きい条件Ｆの方が温度が高く、押付け量ｄが小さい条件Ｅの方が温度が低くなっている。このことから、熱伝導シート１３の押付け量ｄはあまり大きくない方が放熱効果が向上することが分る。したがって、熱伝導シート１３の押付け量ｄについては、ダウンライト１０の使用状況に応じて適宜調整する必要がある。
【００５４】
以上のような第１及び第２の温度測定結果によれば、本体ケース１１にフランジ１７を設けると共に、本体ケース１１の内周面と反射鏡部材１４ａ，１４ｂ及びカバープレート１５の連接外周面との間に隙間２９を形成し、且つ熱伝導シート１３の押付け量ｄはあまり大きくない状態が、最も放熱効果が高いことが分る。
【図面の簡単な説明】
【００５５】
【図１】本発明による照明装置の実施形態を示す底面側から見た斜視図である。
【図２】上記照明装置を底面側から見た平面図である。
【図３】図２のＡ−Ａ線断面図である。
【図４】上記照明装置を底面側から見た状態の分解斜視図である。
【図５】上記照明装置を上面側から見た状態の分解斜視図である。
【図６】本体ケース内の上端部側のケース内底面に設けられた複数本のリング状の突条を示す底面側から見た平面図である。
【図７】図３に示す断面図の要部を拡大して示す断面図である。
【図８】本体ケースに開けられた止めネジ用の貫通孔の細部構造を示す要部拡大断面図である。
【図９】本発明の他の実施形態を示す、図２のＡ−Ａ線断面図に相当する要部拡大断面図である。
【図１０】実施例としてのダウンライトの放熱効果を確認するための基板上の温度測定箇所を示す平面図である。
【図１１】上記基板上の温度測定箇所における第１の温度測定結果を示す表である。
【図１２】上記基板上の温度測定箇所における第２の温度測定結果を示す表である。
【図１３】第２の温度測定において、熱伝導シートの押付け量の変化を計測する状態を示す断面説明図である。
【符号の説明】
【００５６】
１０…ダウンライト（照明装置）
１１…本体ケース
１２…基板
１３…熱伝導シート
１４，１４ａ，１４ｂ…反射鏡部材
１５…カバープレート
１７…フランジ
１８…ＬＥＤ
１９，２０…凹曲面鏡
２１ａ〜２１ｃ…止めネジ（締結用部材）
２２ａ〜２２ｃ…本体ケースの貫通孔
２２ａ’〜２２ｃ’…熱伝導シートの貫通孔
２２ａ”〜２２ｃ”…基板のネジ穴
２４…ワイヤーハーネス
２５ａ，２５ｂ…突条
２８…天井面（設置面）
２９…隙間
【要約】
【課題】ダウンライトにおいて、発光源としてのＬＥＤの点灯で昇温する本体部分の熱を設置面下の開放空間側に放散する。
【解決手段】一端部が開口され他端部が閉塞された有底筒状の本体ケース１１と、この本体ケースの内部に収容され、同一平面上に発光源として複数のＬＥＤ１８が配設された基板１２と、前記本体ケースと基板との間に介装され、弾力性を有して前記ＬＥＤの発熱を本体ケースに導く熱伝導シート１３とを備え、前記熱伝導シートを前記本体ケースと前記基板との間に狭持させて組み立てられる照明装置であって、前記本体ケース１１の一端部側の開口部の外周に、その全周にわたって外方に張り出したフランジ１７を本体ケースと一体化して形成し、該本体ケースを設置面２８の埋込み穴に取り付けた際に、前記フランジ１７が設置面２８下の開放空間側に露出して前記本体ケース１１の熱を放散するようにしたものである。
【選択図】図７【図１】
0004174554.tif 000002
【図２】
0004174554.tif 000003
【図３】
0004174554.tif 000004
【図４】
0004174554.tif 000005
【図５】
0004174554.tif 000006
【図６】
0004174554.tif 000007
【図７】
0004174554.tif 000008
【図８】
0004174554.tif 000009
【図９】
0004174554.tif 000010
【図１０】
0004174554.tif 000011
【図１１】
0004174554.tif 000012
【図１２】
0004174554.tif 000013
【図１３】
0004174554.tif 000014